(57)【要約】【課題】大型表示画面を備えた情報表示装置に対して遠隔からデータ入力を行う際に、ユーザ設定に応じた大きさで文字や画像等のデータを表示させることができるようにする。【解決手段】ユーザは、ワイヤレスペン２０を使用して表示手段１１に描画枠１００を作成する。そしてユーザＵは、ワイヤレスペン２０を用いて空中に文字（あるいは記号）を描画する。情報処理装置１では、ワイヤレスペン２０から送信されたデータに従って、描画枠１００内に文字や記号を表示させる。このとき文字の大きさは、描画枠１００の高さによって決定されている。従ってユーザは、空中に描画する文字や記号の大きさに係わりなく、描画枠１００で規定された大きさで表示手段１１の表示画面に文字や記号を入力させることができる。また文字や記号の大きさは、別途予め定めておいてもよい。【選択図】図１
2009110365.tif 000002
【特許請求の範囲】
【請求項１】
通信機能を備えた操作入力手段の位置情報に応じたデータをワイヤレス通信により入力するデータ入力手段と、情報を表示する表示手段とを有し、前記データ入力手段に入力したデータに基づく描画画像を前記表示手段に表示する情報表示装置において、
該情報表示装置は、前記表示手段に描画画像として表示させる文字または記号の表示サイズを予め設定する文字サイズ設定手段を備えたことを特徴とする情報表示装置。
【請求項２】
請求項１に記載の情報表示装置において、該情報表示装置は、前記表示手段に表示させる描画画像の表示領域を予め設定する表示領域設定手段を備え、前記文字サイズ設定手段は、前記表示領域設定手段が設定した表示領域の高さまたは幅に従って文字または記号のサイズを決定することを特徴とする情報表示装置。
【請求項３】
請求項１または２に記載の情報表示装置において、前記表示領域設定手段が設定する前記描画画像の表示領域は、矩形の枠によって表示されていることを特徴とする情報表示装置。
【請求項４】
請求項３に記載の情報表示装置において、前記表示領域設定手段は、前記操作入力手段からの入力したデータに従って、前記矩形の枠の１つの頂点と、該矩形の枠の対角線のうち前記１つの頂点を通る対角線上の他の頂点とを設定し、前記１つの頂点と前記他の頂点とによって前記矩形の枠を表示することを特徴とする情報表示装置。
【請求項５】
請求項４に記載の情報表示装置において、前記表示領域設定手段は、前記矩形の枠の１つの頂点と前記他の頂点とを設定する際に、前記矩形の枠を点線で表示させることを特徴とする情報表示装置。
【請求項６】
請求項１〜５のいずれか１に記載の情報表示装置と、該情報表示装置に接続された印刷装置または原稿読取装置を含む周辺機器と、を備えたことを特徴とする情報表示システム。
【請求項７】
請求項１〜５のいずれか１に記載の情報表示装置と、該情報表示装置に対して自身の位置情報に応じたデータをワイヤレス通信により送信する前記操作入力手段とを備えた情報表示システムであって、前記操作入力手段は、前記表示手段に表示させるためのデータの入力が完了したことを確定する信号を送信するための確定ボタンを備えていることを特徴とする情報表示システム。
【請求項８】
請求項６に記載の情報表示システムにおいて、前記操作入力手段は、前記表示手段に表示された文字または記号のうち、最後に表示された文字または記号を消去するための信号を送信するための消去ボタンを備えていることを特徴とする情報表示システム。
【請求項９】
請求項６または７に記載の情報表示システムにおいて、前記情報表示装置に接続された印刷装置または原稿読取装置を含む周辺機器を備えたことを特徴とする情報表示システム。
【発明の詳細な説明】
【技術分野】
【０００１】
本発明は、情報表示装置及び情報表示システムに関し、特にタッチパネルによる入力が可能な大型表示画面を利用して情報を表示する情報表示装置と、その情報表示装置を用いたシステムに関するものである。
【背景技術】
【０００２】
例えば会議等に使用されるホワイトボードには、マジックなどの筆記手段により書き込まれた情報を光学的に走査して、これにより得られた情報を感熱紙に印刷する印刷手段が備えられている。このようなホワイトボードを用いて会議が行われた場合、ホワイトボード上に書き込まれた議事内容（イメージ情報）を会議終了後に感熱紙に印刷し、さらに会議参加者にそのコピーを配布する作業等が行われる。
また、従来のホワイトボードを利用した会議においては、会議終了後に、印刷された議事内容を、ワードプロセッサなどを用いて新たに電子化する作業が必要となる場合がある。
【０００３】
これに対して、特許文献１の電子会議システムでは、例えばタッチペンのような入力手段を用いて大型表示装置上に自由な書式で議事内容を書き込むことを可能とし、書き込まれた議事内容を全て電子化することにより、会議終了後の文書管理、参加者への配布、そして内容の加工などを簡単に実行できるようにした電子会議システムが提案されている。
また特許文献２では、ワイヤレスペンにより入力した文字をボードに表示したり、表示した情報をワイヤレスメモカードメモしたりできるようにしたワイヤレスペンと、それを用いたワイヤレスペンシステムが開示されている。
【特許文献１】特開平１０−１３８０２号公報
【特許文献２】特開平８−１６６８４３号公報
【発明の開示】
【発明が解決しようとする課題】
【０００４】
大型表示装置を用いた会議システムにおいて、会議の参加者は、表示装置から離れた位置から表示装置に文字などのデータを直接入力したい、という要望を持っている。しかしながら、例えばワイヤレスペンなどの遠隔からの操作入力手段を使用して、表示装置に直接文字等の入力を行おうとする場合、表示装置に対して一定の大きさで入力を行うことができない、という問題がある。例えば上記のような遠隔からの操作入力手段を操作する際に、表示装置上の表示の大きさと、操作入力手段による文字等の入力操作との関係が掴めずに所望しない大きさで文字等を入力してしまったり、手ぶれが生じて予期しない文字サイズで入力してしまったりする、という問題が生じる。
【０００５】
本発明は、上述のごとき実情に鑑みてなされたもので、大型表示画面を備えた情報表示装置に対して遠隔からデータ入力を行う際に、ユーザ設定に応じた大きさで文字や画像等のデータを表示させることができるようにした情報表示装置と、該情報表示装置を備えた情報表示システムとを提供することを目的とする。
【課題を解決するための手段】
【０００６】
上記課題を解決するために、本発明の第１の技術手段は、通信機能を備えた操作入力手段の位置情報に応じたデータをワイヤレス通信により入力するデータ入力手段と、情報を表示する表示手段とを有し、データ入力手段に入力したデータに基づく描画画像を表示手段に表示する情報表示装置において、情報表示装置は、表示手段に描画画像として表示させる文字または記号の表示サイズを予め設定する文字サイズ設定手段を備えたことを特徴としたものである。
【０００７】
第２の技術手段は、第１の技術手段において、情報表示装置は、表示手段に表示させる描画画像の表示領域を予め設定する表示領域設定手段を備え、文字サイズ設定手段は、表示領域設定手段が設定した表示領域の高さまたは幅に従って文字または記号のサイズを決定することを特徴としたものである。
【０００８】
第３の技術手段は、第１または２の技術手段において、表示領域設定手段が設定する描画画像の表示領域は、矩形の枠によって表示されていることを特徴としたものである。
【０００９】
第４の技術手段は、第３の技術手段において、表示領域設定手段は、操作入力手段からの入力したデータに従って、矩形の枠の１つの頂点と、矩形の枠の対角線のうち１つの頂点を通る対角線上の他の頂点とを設定し、１つの頂点と他の頂点とによって矩形の枠を表示することを特徴としたものである。
【００１０】
第５の技術手段は、第４の技術手段において、表示領域設定手段は、矩形の枠の１つの頂点と他の頂点とを設定する際に、矩形の枠を点線で表示させることを特徴としたものである。
【００１１】
第６の技術手段は、第１〜５のいずれかの技術手段と、情報表示装置に接続された印刷装置または原稿読取装置を含む周辺機器と、を備えたことを特徴としたものである。
【００１２】
第７の技術手段は、第１〜５のいずれかの技術手段と、情報表示装置に対して自身の位置情報に応じたデータをワイヤレス通信により送信する操作入力手段とを備えた情報表示システムであって、操作入力手段は、表示手段に表示させるためのデータの入力が完了したことを確定する信号を送信するための確定ボタンを備えていることを特徴としたものである。
【００１３】
第８の技術手段は、第６の技術手段において、操作入力手段は、表示手段に表示された文字または記号のうち、最後に表示された文字または記号を消去するための信号を送信するための消去ボタンを備えていることを特徴としたものである。
【００１４】
第９の技術手段は、第６または７の技術手段において、情報表示装置に接続された印刷装置または原稿読取装置を含む周辺機器を備えたことを特徴としたものである。
【発明の効果】
【００１５】
本発明によれば、大型表示画面を備えた情報表示装置に対して遠隔からデータ入力を行う際に、ユーザ設定に応じた大きさで文字や画像等のデータを表示させることができるようにした情報表示装置と、該情報表示装置を備えた情報表示システムとを提供することができる。
【発明を実施するための最良の形態】
【００１６】
図１は、本発明に係る情報表示装置を使用した情報表示システムの構成例を説明するためのブロック図である。情報表示システムは、情報表示装置１と、情報表示装置１に対してデータを送信するワイヤレスポインティングデバイス２と、プリンタ６０やスキャナ５０等の周辺装置とを含んでいる。また情報表示装置１は、表示装置１０、情報制御部（コントローラ）３０、及び記憶管理部４０を備えている。情報制御部３０は、ＰＣ等の情報処理装置を表示装置１０に接続したものであってもよく、また表示装置１０に内蔵した制御回路等によって実現するものであってもよく、また表示装置１０とその外部装置とに機能を分散したものであってもよい。
【００１７】
表示装置１０は、表示手段１１と、表示手段１１の前面側に設けられたタッチパネル１２とを備えている。表示手段１１としては、大型ＬＣＤ（Liquid Crystal Display）、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の薄型かつ大型の表示装置を適用することができる。またタッチパネル１２は、表示手段１１の前面側に設けられ、利用者等によるタッチ位置の座標を検出して情報制御部（コントローラ）３０に送る。
【００１８】
情報制御部３０は、表示手段１１に表示させる表示画面を制御するもので、タッチパネル１２で検出されたタッチ位置の座標情報に従って、表示手段１１にさまざまな情報を表示させる。例えばタッチペンなどを使用してタッチパネル１２上に描かれた文字などの情報を表示手段１１に表示させる処理を行う。さらに本実施形態では、情報制御部３０は、ワイヤレスペンなどのワイヤレスポインティングデバイス（データ入力手段）２により送信されたデータを受け取って、そのデータに従う画像を表示手段１１に表示させる制御を行う。また記憶管理部４０は、表示手段１１に表示させるデータ、及びタッチパネル１２によって入力されたデータを記憶・管理する。
【００１９】
プリンタ６０は、表示手段１１に表示させた表示情報を印刷出力する印刷装置である。ここでは、表示手段１１に表示されている画像情報を情報制御部３０の制御によってプリンタ６０に出力することで、プリンタ６０にて表示手段１１の表示情報を印刷出力させることができる。またプリンタ６０は、情報制御部３０に接続されたスキャナ５０で取り込んだ画像データの印刷出力なども行うことができる。
【００２０】
スキャナ５０は、原稿画像を読み取って電子化するための原稿読取装置であり、原稿画像を読み取ることで得られた画像データを情報制御部３０に出力する。スキャナ５０で読み取られた画像データは、情報制御部３０の制御によって表示手段１１に表示させることができる。また上述のようにプリンタ６０から印刷出力させることもできる。
【００２１】
上記の表示装置１０、プリンタ６０、スキャナ５０、情報制御部３０は、ＵＳＢ Ｉ／Ｆで相互に接続されている。また特にＵＳＢ Ｉ／Ｆでなくても、イーサネット（登録商標）、電力通信、無線ＬＡＮ、Ｂｌｕｅｔｈｏｏｔｈ、ＵＷＢ（ウルトラワイドバンド）、及びＷｉ−ＭＡＸ等の接続手段が適用可能である。
【００２２】
本発明に係る実施形態に適用可能なワイヤレスポインティングデバイス２は、情報表示装置１に対してワイヤレス通信によりデータ入力を可能とするものであり、本発明のデータ入力手段に該当するものである。ワイヤレスポインティングデバイス２としては、ワイヤレス通信によって自身の位置情報に関するデータを入力可能とするものであれば、適宜従来公知の技術を適用することができる。
この場合、ワイヤレスポインティングデバイス２は、情報表示装置１側で描画モード（ホワイトボードモードなどと呼ばれる）が設定されているときに、自身の空間的な位置情報に関するデータを情報表示装置１に送信する。そして情報表示装置１は、送信されたデータに基づく描画画像を表示手段１１上に表示させる情報処理を行う。
【００２３】
例えば、特開平８―１６６８４３号公報のワイヤレスペンでは、ワイヤレスペンに組み込んだ加速度センサを用いて入力した情報を、ワイヤレスペンが内蔵したＣＰＵにより積分することにより、上記の入力した情報を空間的な位置情報に変換している。そしてさらにこの位置情報を遠隔通信機能を用いてワイヤレス基地局（本発明に係る実施形態では、情報表示装置１に相当）に送信する。ワイヤレス基地局では、その情報をシステムコンピュータで処理し管理することよって、連続して入力した文字を表示部に表示させている。
このワイヤレスペンは、ＣＰＵと、メモリと、これらを電気的に接続したデジタル並びにアナログ回路と、マイクロ波や中波体などの高周波方式を用いた遠隔通信用の変復調回路と、通信アンテナとを備えたワイヤレス携帯機として構成されている。
【００２４】
図２は、本発明に係る情報表示装置に適用可能なワイヤレスポインティングデバイスの構成例を示す外観図で、ワイヤレスポインティングデバイスを実現するワイヤレスペンの一形態を示すものである。図２において、２０はワイヤレスペン、２１は第１ボタン、２２は第２ボタン、２３は加速度センサ、２４は電池、２５は電子回路部、２６はアンテナである。第１ボタン２１，及び第２ボタン２２は、ワイヤレスペン２０を保持したユーザが操作可能に設けられているもので、例えば第１ボタン２１は、２ボタン型マウスの左ボタンに相当し、第２ボタン２２はマウスの右ボタンに相当する機能を備えることができる。これにより、表示手段１１に対する描画枠の設定や、その描画枠内への文字や記号などの描画操作を実行することができるようになっている。
【００２５】
本発明の構成では、表示手段１１に表示させるためのデータの入力が完了したことを確定する信号を送信するための確定ボタンを第１ボタン２１に割り当てることができ、さらに表示手段１１に表示された文字または記号のうち、最後に表示された文字または記号を消去する信号を送信するための消去ボタンを第２ボタン２２に割り当てることができる。
【００２６】
ユーザが、ワイヤレスペン２０の第１ボタン２１を押すと、ワイヤレスペン２０の電子回路部２５に含まれる制御部は、アンテナ２６を介して通信を確立するための要求信号を送信する。これを受けて情報表示装置１では、通信を確立する許可信号を返信する。そしてワイヤレスペン２０は、同時に加速度センサ２３の初期値を設定する。ユーザ操作によりワイヤレスペン２０が移動すると、加速度センサ２３が加速度情報を電子回路部２５の制御部に送る。電子回路部２５の制御部では、受信した加速度情報を積分して２次元の位置情報に変換し、変調した後にアンテナ２６を介して送信する。情報表示装置１では、送信された位置情報を演算処理し、表示手段１１に対してその位置情報に基づいてカーソルを表示させる。このカーソルによってユーザは、表示手段１１の表示画面に枠設定を行うことができ、さらに枠設定の後、第１ボタン２１を押しながら空中に任意の文字や記号を描画することにより、表示手段１１に表示されている枠内にその文字や記号を表示させることができる。ここでは、ワイヤレスペン２０と情報表示装置１との通信を確立するために、上記の第１ボタンの他に、通信確立要求用の専用ボタンを設けてもよい。
【００２７】
なお上記のワイヤレスペンの２０の構成は、ワイヤレスポインティングデバイス２の実施形態の一例を示すものであり、その構成は限定されない。ユーザ操作によってワイヤレスで空間位置情報を送信し、情報装置側でその情報を認識して位置情報に従う描画画像を表示できるものであれば、適宜本発明の実施形態として適用することができる。
【００２８】
（実施形態１）
図３及び図４は、本発明に係る情報表示装置の一実施形態の処理利を概念的に説明するための図である。
本実施形態においては、ワイヤレスペン２０などのワイヤレスポインティングデバイスを使用して、情報表示装置１に文字などのデータを入力させる際に、ユーザは、まずワイヤレスペン２０を使用して表示手段１１に描画枠を作成する。この場合、情報表示装置１にて「描画入力モード」が設定されている場合にこの処理を実行する。「描画入力モード」は、ワイヤレスペン２０によるデータ入力を可能とするモードで、例えば、表示手段１１に表示したモード切替メニューから選択することができる。もしくはワイヤレスペン２０や、表示手段１１に設けられた操作入力部などに、専用のモード切替ボタンなどを設けてこれにより実行するようにしてもよい。一般に、電子会議システムでは情報表示装置１の近傍に司会者や発表者などがいることが多く、これらの人によって表示メニューや操作入力部を操作するようにしてもよい。「描画入力モード」は、「ホワイトボードモード」などとも呼ばれる。
【００２９】
そして「描画入力モード」において、例えば電子会議に参加しているユーザＵは、ワイヤレスペン２０を操作して、表示装置１０の表示手段１１上に描画枠１００を作成して表示させる。描画枠１００は、文字等を入力する位置や文字の大きさを規定するために設定するもので、ワイヤレスペン２０を用いて描画画像を表示するための本発明の表示領域に相当するものである。
この場合、まずユーザＵは、ワイヤレスペン２０の第１ボタン２１や通信確立要求用のボタンなどを操作して情報表示装置１との通信を確立し、次いで描画枠１００の開始位置を指定する。開始位置は例えば、描画枠１００の左上角の位置として規定できる。ここでは例えば、情報表示装置１では、ワイヤレスペン２０の空間的な位置情報に応じて表示手段１１にポインタを表示させる。そしてユーザＵは、ワイヤレスペン２０を空中で移動させて、これに応じて動作するポインタを表示手段１１上で移動させる。
【００３０】
次にユーザＵは、描画枠１００の開始位置とする所望の位置までポインタを移動させワイヤレスペン２０の第１ボタン２１をクリックする。第１ボタン２１は、入力を確定するためのデータを送信する確定ボタンとして機能する。
そしてユーザＵは、第１ボタン２１を押したままの上でワイヤレスペン２０を移動させ、表示手段１１上の開始位置からポインタを移動させると、そのポインタ位置に応じて描画枠１００を示す点線の枠が表示される。この点線の枠は、開始点とポインタ位置とを対角線の両端とする方形の枠である。さらにユーザＵは、所望の描画枠が点線で示された位置で、ワイヤレスペン２０の第１ボタンを離す。この操作によって描画枠１００が確定される。この描画枠１００に従って、以後ユーザＵによって描画されるデータが表示手段１１に表示される。
【００３１】
また本実施形態では、描画枠１００は、文字や記号などのデータを入力する領域として規定される。そしてこの領域内に文字や記号を表示させる際に、各文字や記号の大きさは、描画枠１００の高さに依存して決定される。つまり描画枠１００の高さが決定されているため、予め定められた一文字の縦横比に従って、描画枠１００内に表示する各文字や記号の大きさを描画枠の高さに従って決定することができる。つまり描画枠１００の高さが高ければ、文字や記号のサイズが大きくなる。
【００３２】
また上記の例では、横書き文字を想定した描画枠１００の処理について説明したが、縦書きの描画枠１００に対応するようにしてもよい。この場合には、描画枠１００の幅によって文字または記号の大きさを決定することができる。またこのときに、情報表示装置１の情報制御部３０において、ユーザにより描かれた描画枠１００の形状に従って、横書きか縦書きかを判定し、その判定結果に従って描画枠１００の高さまたは幅のいずれかに応じて文字または記号の大きさを決定するようにしてもよい。
【００３３】
上記のように、本発明に係る実施形態では、情報表示装置１は、表示手段１１に描画画像として表示させる文字または記号の表示サイズを予め設定する文字サイズ設定手段と、表示手段１１に表示させる描画画像の表示領域を予め設定する表示領域設定手段とを備えている。これらの文字サイズ設定手段及び表示領域設定手段は、所定のプログラムに基づく情報制御部２０による制御処理によって実現される。そして本実施形態の文字サイズ設定手段は、表示領域設定手段が設定した表示領域の高さ（または幅）に従って文字または記号のサイズを決定する。
【００３４】
ワイヤレスペン２０の操作により描画枠１００を確定すると、ユーザは、描画枠１００に対して文字や記号などのデータを入力する。ここではユーザＵは、ワイヤレスペン２０の第１ボタン２１を押して、空中に文字や記号を描画する。ここでは第１ボタン２１を押した状態の軌跡によって文字や記号を描くようにする。例えば図４に示すように、最初の文字“Ａ”を空中に描画する。このとき、ユーザＵは、自由な大きさで空中に文字“Ａ”を描画することができる。
【００３５】
情報表示装置１では、ワイヤレスポインティングデバイス２から送信されたワイヤレスペン２０の位置情報を受信し、この位置情報を演算処理して文字“Ａ”を描画枠１００内の最初の位置（例えば描画枠１００内の左端の位置）に表示させる。このとき文字大きさは、描画枠１００の高さによって決定されている。
【００３６】
そして図４の例に示すように、ユーザＵは、描画枠１００に対して“Ｂ”、“Ｃ”、“Ｄ”、“Ｅ“のように連続して文字を表示させていくことができる。描画枠１００の内部に文字を表示させるときの制御の一例として、描画枠１００が一杯になったときには、それ以上の入力を受け付けず、一杯になった状態を維持させるようにする。また他の制御例として、描画枠１００が一杯になったときに、次の文字を描画枠１００の内の最後部に表示させ、それ以前に入力された文字をスクロールによって移動させることができる。この場合、描画枠内に最初に表示された文字が順に消えていくことになる。
【００３７】
あるいは他の制御例として、描画枠１００内が文字で一杯になった後さらに文字入力があった場合、設定された描画枠１００と同じ描画枠を、文字で一杯になった描画枠１００の下側に新たに設定し、その内部に文字入力を行わせるようにしてもよい。これにより、描画枠１００で設定した文字の大きさで、複数行の文字を連続して表示させていくことができるようになる。
さらに他の制御例として、描画枠１００の内部が文字で一杯になったときに、文字の大きさを縮小し、入力された文字全体を表示させるようにしてもよい。このときの縮小率は、入力文字数に従って変更してもよく、もしくは所定の縮小率に従って縮小してもよい。例えば描画枠１００内が一杯になったときに、１文字の大きさを半分にし、描画枠１００内で２段表示させるようにしてもよい。
【００３８】
さらに表示手段１１に対して、文字ではなく線や図形などを表示させたい場合には、描画枠１００を設定することなくワイヤレスペン２０を用いて空中に所望の軌跡を描くことで、その軌跡に応じた画像を表示させるモードを予め用意しておくことができる。
【００３９】
次に描画枠１００に表示させた文字を消去する場合には、ユーザは、ワイヤレスペン２０の第２ボタン２２を操作することで、最後に入力した文字を一文字消去することができる。またこの他、一般的な描画ソフトウェアに適用されている所謂“消しゴム”を指定して表示手段１１に消しゴムのオブジェクトを表示させ、ワイヤレスペン２０の操作により消しゴムのオブジェクトを移動させ、移動した部分の描画文字を消去するように制御してもよい。この“消しゴム”の指定は、予め用意された描画メニューのなかから選択させるようにすることができる。この場合に、ワイヤレスペン２０による選択操作のみならず、情報表示装置１の近傍にいる司会者や発表者などのタッチペンによる操作、あるいは情報表示装置１の操作パネルに対する操作によって“消しゴム”を指定できるようにしてもよい。
【００４０】
上記のようにして、描画枠１００に対する文字や記号の入力が完了した場合、ユーザは、ワイヤレスペン２０に対して所定の操作をおこなう。ここでは例えば第１ボタン２１をダブルクリックする等の操作を予め定めておく。そしてその操作がワイヤレスペン２０に対して行われると、情報表示装置１では、画面上に表示している点線枠を消去し、入力文字（列）を確定する。
【００４１】
図５は、本発明に係る情報表示装置の処理の一例を示すフローチャートである。
まず情報表示装置では、ユーザによるワイヤレスペン２０などのワイヤレスポインティングデバイス２の操作に応じて、描画枠の開始位置を指定する（ステップＳ１）。そしてさらにワイヤレスポインティングデバイス２の移動に応じて、描画枠の終了位置を指定する（ステップＳ２）。これにより、描画枠の領域が定められる。ここで情報表示装置１では、規定された描画枠の高さ（もしくは幅）に従って、描画枠内に表示する文字のポイントを自動的に設定する（ステップＳ３）。文字のポイントの設定とは、表示手段１１の描画枠内に表示させる一文字の大きさを定めることと同義である。
【００４２】
そしてユーザがワイヤレスポインティングデバイス２を操作すると、情報表示装置１では、ワイヤレスポインティングデバイス２から送信されたデータを入力する処理を行う（ステップＳ４）。そして入力されたデータが、入力終了操作であるかどうかを判別する（ステップＳ５）。ここで入力終了操作が行われた場合には（ステップＳ５−ＹＥＳ）、情報表示装置１では処理を終了する。また入力終了操作ではない場合には（ステップＳ５−ＮＯ）、さらに１文字取消操作が入力したかどうかを判別する（ステップＳ６）。ここで１文字取消操作であれば、情報表示装置１ではその操作に従って描画枠内の文字を１文字削除する処理を行う（ステップＳ８）。また１文字取消操作でなければ、文字描画処理であるため、ステップＳ２で指定した描画枠内に、ステップＳ３で指定した文字ポイントを使用して、ワイヤレスポインティングデバイス２によって空中に描画された文字や記号を表示させる（ステップＳ７）。
【００４３】
（実施形態２）
上記実施形態１では、ワイヤレスポインティングデバイス２を使用して空中に任意の文字や記号を描く際に、文字や記号の大きさを描画枠１００に従って設定していたが、本実施形態では、描画枠１００内に文字や記号を表示する大きさ（文字ポイント）を別途設定する。文字ポイントの設定は、ワイヤレスポインティングデバイス２の操作や、情報表示装置１へのタッチペンによる入力、情報表示装置１の操作パネルの操作などによって行うことができるようにする。ここでは例えば、文字ポイントの設定メニューを表示させ、メニューに表示した文字ポイントから所望の文字ポイントをユーザに選択させるようにすることができる。
つまり本実施形態では、描画枠１００は、表示手段１１の表示画面上の表示位置と表示範囲を規定するものであって、文字ポイントの大きさの設定には使用しない。これら本実施形態を特徴付ける点を除いては、ワイヤレスポインティングデバイス２と情報表示装置１の構成及び動作は、実施形態１と同様であり、繰り返しの説明は省略する。
【図面の簡単な説明】
【００４４】
【図１】本発明に係る情報表示装置を使用した情報表示システムの構成例を説明するためのブロック図である。
【図２】本発明に係る情報表示装置に適用可能なワイヤレスポインティングデバイスの構成例を示す外観図である。
【図３】本発明に係る情報表示装置の一実施形態の処理利を概念的に説明するための図である。
【図４】本発明に係る情報表示装置の一実施形態の処理利を概念的に説明するための図である。
【図５】本発明に係る情報処理装置の処理の一例を示すフローチャートである。
【符号の説明】
【００４５】
１…情報表示装置、２…ワイヤレスポインティングデバイス、１０…表示装置、１１…表示手段、１２…タッチパネル、２０…ワイヤレスペン、２１…第１ボタン、２２…第２ボタン、２３…加速度センサ、２５…電子回路部、２６…アンテナ、３０…情報制御部、４０…情報管理部、５０…スキャナ、６０…プリンタ、１００…描画枠。
【図１】
2009110365.tif 000003
【図２】
2009110365.tif 000004
【図３】
2009110365.tif 000005
【図４】
2009110365.tif 000006
【図５】
2009110365.tif 000007